(57)【要約】【課題】複数の無線通信方式の信号を受信し、構成が比較的簡単で、消費電力がより小さく、確実に受信レベルの高いアンテナを選択するダイバーシチ受信回路を提供すること。【解決の手段】複数のアンテナのいずれか１つと接続する第１の受信手段１０５Ａから出力される通信信号の第１の受信レベルと第１の受信手段１０５Ａに接続されなかったアンテナの１つと接続する第２の受信手段１０６Ａから出力される通信信号の第２の受信レベルとを比較し、レベル比較信号を出力するレベル比較部１０９と、受信モードを選択する受信モード制御信号およびレベル比較信号に基づいて、第１および第２の受信手段１０５Ａ、１０６Ａに接続するアンテナを１つずつ選択する切替選択信号を出力する切替制御手段１１０と、切替選択信号に基づいて、２つのアンテナを第１または第２の受信手段１０５Ａ、１０６Ａへ接続する切替選択手段１０２とを有する。【選択図】図1
2007104095.tif 000002
【特許請求の範囲】
【請求項１】
複数の無線通信方式の通信信号を受信する複数のアンテナと、
前記複数のアンテナのうち、いずれか１つと接続する第１の受信部と、
前記第１の受信部と接続されなかった前記複数のアンテナのうち、いずれか１つと接続する第２の受信部と、
前記第１の受信部から出力される通信信号の第１の受信レベルおよび前記第２の受信部から出力される通信信号の第２の受信レベルを比較し、比較結果を示すレベル比較信号を出力するレベル比較部と、
前記複数の無線通信方式の通信信号のうち、あらかじめ設定されたいずれか１つの通信信号を受信する受信モードを選択する受信モード制御信号および前記レベル比較信号に基づいて、前記複数のアンテナから前記第１の受信部および前記第２の受信部に接続するアンテナを１つずつ選択する切替選択信号を出力する切替制御部と、
前記切替選択信号に基づいて、前記複数のアンテナのうちの２つを前記第１の受信部または前記第２の受信部へ接続する切替選択部と
を有するダイバーシチ受信回路。
【請求項２】
請求項１に記載のダイバーシチ受信回路であって、
前記複数の無線通信方式は、デジタルテレビ方式およびアナログテレビ方式を有し、
前記第１の受信部は、前記デジタルテレビ方式の放送信号を受信し、
前記第２の受信部は、前記アナログテレビ方式の放送信号を受信し、
前記第１の受信部および前記第２の受信部の受信チャネルの帯域幅は同一であるダイバーシチ受信回路。
【請求項３】
請求項２に記載のダイバーシチ受信回路であって、
前記デジタルテレビ方式の放送信号はＯＦＤＭ信号を有し、
前記切替制御部は、
前記ＯＦＤＭ信号に含まれるガードインターバル信号に基づいて、前記切替選択信号を出力するデジタルタイミングを生成するデジタルタイミング生成部
を有するダイバーシチ受信回路。
【請求項４】
請求項２に記載のダイバーシチ受信回路であって、
前記切替制御部は、
前記アナログテレビ方式の放送信号に含まれる垂直帰線期間に基づいて、前記切替選択信号を出力するアナログタイミングを生成するアナログタイミング生成部
を有するダイバーシチ受信回路。
【請求項５】
請求項３ないし４のいずれか１項に記載のダイバーシチ受信回路であって、
前記デジタルタイミングまたは前記アナログタイミングに基づいて、電源を制御する電源制御タイミングを生成する電源制御タイミング生成部と、
前記電源制御タイミングに基づいて、前記受信モードとしてデジタルテレビ方式が選択された場合には第２の受信部への給電を、前記受信モードとしてアナログテレビ方式が選択された場合には第１の受信部への給電を制御する電源制御部と
を有するダイバーシチ受信回路。
【請求項６】
請求項５に記載のダイバーシチ受信回路であって、
前記切替制御部は、
前記受信モードとしてデジタルテレビ方式が選択された場合、第１の受信部と接続されたアンテナが受信する通信信号の受信レベルが、前記第２の受信部と接続されたアンテナが受信する通信信号の受信レベルより大きい場合に出力されるデジタル切替制御信号を有し、
前記電源制御タイミング生成部は、
前記デジタル切替制御信号および前記デジタルタイミングに基づいて、前記電源制御タイミングを生成するダイバーシチ受信回路。
【請求項７】
請求項５に記載のダイバーシチ受信回路であって、
前記切替制御部は、
前記受信モードとしてアナログテレビ方式が選択された場合、第２の受信部と接続されるアンテナが受信する通信信号の受信レベルが、前記第１の受信部と接続されたアンテナが受信する通信信号の受信レベルより大きい場合に出力されるアナログ切替制御信号を有し、
前記電源制御タイミング生成部は、
前記アナログ切替制御信号および前記アナログタイミングに基づいて、前記電源制御タイミングを生成するダイバーシチ受信回路。
【請求項８】
請求項１ないし７のいずれか１項に記載のダイバーシチ受信回路であって、
前記切替選択部は、
前記受信モードに基づいて、前記複数のアンテナのうちの１つを第１の受信部または第２の受信部へ接続する第１のアンテナ接続部と、
前記複数のアンテナにおいて前記受信部へ接続されなかった残りのアンテナから、前記残りのアンテナを１つずつ選択し、順次切り替えてもう一方の受信部へ接続する第２のアンテナ接続部と
を有するダイバーシチ受信回路。
【請求項９】
複数の無線通信方式の通信信号を受信する複数のアンテナと、
前記複数のアンテナのうち、いずれか１つと接続する第１の受信部と、
前記第１の受信部と接続されなかった前記複数のアンテナのうち、いずれか１つと接続する第２の受信部と、
前記第１の受信部から出力される通信信号の第１の受信レベルおよび前記第２の受信部から出力される通信信号の第２の受信レベルを比較し、比較結果を示すレベル比較信号を出力するレベル比較部と、
前記複数の無線通信方式の通信信号のうち、あらかじめ設定されたいずれか１つの通信信号を受信する受信モードを選択する受信モード制御信号および前記レベル比較信号に基づいて、前記複数のアンテナから前記第１の受信部および前記第２の受信部に接続するアンテナを１つずつ選択する切替選択信号を出力する切替制御部と、
前記切替選択信号に基づいて、前記複数のアンテナのうちの２つを前記第１の受信部または前記第２の受信部へ接続する切替選択部と
を有するダイバーシチ受信装置。
【請求項１０】
複数の無線通信方式の通信信号を受信する複数のアンテナと、
前記複数のアンテナのうち、いずれか１つと接続する第１の受信部と、
前記第１の受信部と接続されなかった前記複数のアンテナのうち、いずれか１つと接続する第２の受信部と、
前記第１の受信部から出力される通信信号の第１の受信レベルおよび前記第２の受信部から出力される通信信号の第２の受信レベルを比較し、比較結果を示すレベル比較信号を出力するレベル比較部と、
前記複数の無線通信方式の通信信号のうち、あらかじめ設定されたいずれか１つの通信信号を受信する受信モードを選択する受信モード制御信号および前記レベル比較信号に基づいて、前記複数のアンテナから前記第１の受信部および前記第２の受信部に接続するアンテナを１つずつ選択する切替選択信号を出力する切替制御部と、
前記切替選択信号に基づいて、前記複数のアンテナのうちの２つを前記第１の受信部または前記第２の受信部へ接続する切替選択部と
を有するダイバーシチ受信システム。
【発明の詳細な説明】
【技術分野】
【０００１】
本発明は、同一バンドにあり異なる無線通信方式の受信回路を搭載したダイバーシチ受信機に関し、特にアンテナ素子を選択的に切り替えるダイバーシチ受信回路、ダイバーシチ受信装置およびダイバーシチ受信システムに関するものである。
【背景技術】
【０００２】
近年、周波数の有効利用の観点から、同一バンドのデュアルモード受信システムが普及してきている。例えば、欧州携帯電話のＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）／ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、或いはデジタルテレビジョン放送、アナログテレビジョン放送などが挙げられる。
【０００３】
特に、テレビジョン放送に関しては、２００３年１２月より、日本でも地上デジタル放送が開始された。一方で、地上アナログ放送の普及は広く、デジタル化する際の視聴者保護の観点から、サイマルキャストが求められている。
【０００４】
デジタル放送への移行が完了する２０１１年１２月までに市場投入される受像機と一体型のデジタル受信機はアナログ放送の受信機能を備えることが望まれているため、デジタル、及びアナログ受信機能を備えた受信装置は今後数多く市場投入されると思われる。以下、デジタル放送、アナログ放送を例に説明を行う。
【０００５】
地上デジタル放送の伝送方式には、直交周波数分割多重（ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ））技術を用いている。ＯＦＤＭはマルチキャリア変調方式の一種であり、シンボルごとに互いに直交する多数の搬送波を用いて分散してデジタル伝送するため、シンボル長が単一キャリアに比べ長くなり、マルチパスなどの遅延波の影響を受けにくいという特徴がある。
【０００６】
図１４は従来のＯＦＤＭの伝送シンボルを示した図である。１４０１はＯＦＤＭシンボル、１４０２はガードインターバル期間、１４０３は有効シンボル期間を表している。ＯＦＤＭシンボル１４０１は有効シンボル１４０３とガードインターバル１４０２から構成されており、有効シンボル期間は、データ伝送のために実質的に必要とされる信号期間である。また、ガードインターバルはマルチパスの影響を軽減する為の冗長な信号期間であり、有効シンボル期間の後半の一部をコピーして有効シンボルの前に付加し送信している。
【０００７】
このような構成にすることにより、遅延波の最大遅延量がガードインターバル長を越えなければ、遅延による位相変化はあるが、合成波の周期性が維持されているため周波数スペクトルがラインスペクトルとなり符号間干渉は起こらない。各サブキャリア間の直交性が崩されることなく位相情報さえ補正できれば完全に復調することが出来る。
【０００８】
しかし、このような伝送方式を用いたとしても、マルチパスフェージングにより電波の受信状況が劣化し、安定受信が困難である。この課題を解決する有効な方法にダイバーシチ受信がある。
【０００９】
複数の受信アンテナを切替えて良好な受信が出来るようアンテナを選択する選択ダイバーシチ方式、或は複数のアンテナからの復調信号を同相化し適切な重みをつけて合成を行う最大比合成ダイバーシチ方式は、従来より移動体無線受信機において広く利用されている（例えば、非特許文献１）。
【００１０】
また、受信系が１系統で複数のアンテナを有した受信装置において、各アンテナの信号強度を測定し、予め決めてある閾値以下になった場合に切替動作を行う方法が従来より知られている（例えば、非特許文献２）。
【非特許文献１】三瓶 政一、「ディジタルワイヤレス伝送技術  基礎からシステム設計まで」、ピアソン・エデュケーション、平成１４年９月、2章、4章
【非特許文献２】奥村善久、進士昌明、「移動通信の基礎」、電子情報通信学会編、昭和６１年１０月、Ｐ１７６−１７８
【発明の開示】
【発明が解決しようとする課題】
【００１１】
しかし、最大比合成などの合成ダイバーシチ方式では、受信系がアンテナと同数必要となり、かつ各々が受信したＯＦＤＭ信号を合成させるための合成回路が必要となるため、構成が複雑になり、かつ消費電力が大きくなってしまうという事情がある。
【００１２】
また、携帯端末など小型端末へのダイバーシチ技術搭載の場合、物理的に距離を離してアンテナを配置出来ない為、相関の低いアンテナを構成することは非常に困難であり、フェージングによる受信レベル変動が発生した場合、切替動作を行ったとしても、必ずしも他方のアンテナでの受信レベルが高いとは限らず、切替動作を行うことで逆に受信性能を劣化させてしまうという事情がある。
【００１３】
本発明は、上記事情を鑑みてなされたものであって、複数の無線通信方式の信号を受信し、構成が比較的簡単で、消費電力がより小さく、確実に受信レベルの高いアンテナを選択するダイバーシチ受信回路、ダイバーシチ受信装置、ダイバーシチ受信システムおよびダーバーシチ受信方法を提供することを目的とする。
【課題を解決するための手段】
【００１４】
上記目的を達成するために、本発明の第１のダイバーシチ受信回路は、複数の無線通信方式の通信信号を受信する複数のアンテナと、前記複数のアンテナのうち、いずれか１つと接続する第１の受信部と、前記第１の受信部と接続されなかった前記複数のアンテナのうち、いずれか１つと接続する第２の受信部と、前記第１の受信部から出力される通信信号の第１の受信レベルおよび前記第２の受信部から出力される通信信号の第２の受信レベルを比較し、比較結果を示すレベル比較信号を出力するレベル比較部と、前記複数の無線通信方式の通信信号のうち、あらかじめ設定されたいずれか１つの通信信号を受信する受信モードを選択する受信モード制御信号および前記レベル比較信号に基づいて、前記複数のアンテナから前記第１の受信部および前記第２の受信部に接続するアンテナを１つずつ選択する切替選択信号を出力する切替制御部と、前記切替選択信号に基づいて、前記複数のアンテナのうちの２つを前記第１の受信部または前記第２の受信部へ接続する切替選択部とを有する構成としている。
【００１５】
この構成により、複数の無線通信方式の信号を受信し、構成が比較的簡単で、消費電力がより小さく、確実に受信レベルの高いアンテナを選択することができる。
【００１６】
また、本発明の第２のダイバーシチ受信回路は、前記複数の無線通信方式が、デジタルテレビ方式およびアナログテレビ方式を有し、前記第１の受信部が、前記デジタルテレビ方式の放送信号を受信し、前記第２の受信部が、前記アナログテレビ方式の放送信号を受信し、前記第１の受信部および前記第２の受信部の受信チャネルの帯域幅は同一である構成としている。
【００１７】
この構成により、デジタルテレビ放送信号およびアナログテレビ放送信号を受信し、構成が比較的簡単で、消費電力がより小さく、確実に受信レベルの高いアンテナを選択することができる。
【００１８】
また、本発明の第３のダイバーシチ受信回路は、前記デジタルテレビ方式の放送信号がＯＦＤＭ信号を有し、前記切替制御部が、前記ＯＦＤＭ信号に含まれるガードインターバル信号に基づいて、前記切替選択信号を出力するデジタルタイミングを生成するデジタルタイミング生成部を有する構成としている。
【００１９】
この構成により、デジタルテレビ受信時にシンボル同期がはずれにくい状態とすることができる。
【００２０】
また、本発明の第４のダイバーシチ受信回路は、前記切替制御部が、前記アナログテレビ方式の放送信号に含まれる垂直帰線期間に基づいて、前記切替選択信号を出力するアナログタイミングを生成するアナログタイミング生成部を有する構成としている。
【００２１】
この構成により、アナログテレビ受信装置時に切替時の不要な画質劣化を発生しにくくすることができる。
【００２２】
また、本発明の第５のダイバーシチ受信回路は、前記デジタルタイミングまたは前記アナログタイミングに基づいて、電源を制御する電源制御タイミングを生成する電源制御タイミング生成部と、前記電源制御タイミングに基づいて、前記受信モードとしてデジタルテレビ方式が選択された場合には第２の受信部への給電を、前記受信モードとしてアナログテレビ方式が選択された場合には第１の受信部への給電を制御する電源制御部とを有する構成としている。
【００２３】
この構成により、より消費電力を低減することができる。
【００２４】
また、本発明の第６のダイバーシチ受信回路は、前記切替制御部が、前記受信モードとしてデジタルテレビ方式が選択された場合、第１の受信部と接続されたアンテナが受信する通信信号の受信レベルが、前記第２の受信部と接続されたアンテナが受信する通信信号の受信レベルより大きい場合に出力されるデジタル切替制御信号を有し、前記電源制御タイミング生成部が、前記デジタル切替制御信号および前記デジタルタイミングに基づいて、前記電源制御タイミングを生成する構成としている。
【００２５】
この構成により、デジタルテレビ受信時の消費電力をより低減することができる。
【００２６】
また、本発明の第７のダイバーシチ受信回路は、前記切替制御部が、前記受信モードとしてアナログテレビ方式が選択された場合、第２の受信部と接続されるアンテナが受信する通信信号の受信レベルが、前記第１の受信部と接続されたアンテナが受信する通信信号の受信レベルより大きい場合に出力されるアナログ切替制御信号を有し、前記電源制御タイミング生成部が、前記アナログ切替制御信号および前記アナログタイミングに基づいて、前記電源制御タイミングを生成する構成としている。
【００２７】
この構成により、アナログテレビ受信時の消費電力をより低減することができる。
【００２８】
また、本発明の第８のダイバーシチ受信回路は、前記切替選択部が、前記受信モードに基づいて、前記複数のアンテナのうちの１つを第１の受信部または第２の受信部へ接続する第１のアンテナ接続部と、前記複数のアンテナにおいて前記受信部へ接続されなかった残りのアンテナから、前記残りのアンテナを１つずつ選択し、順次切り替えてもう一方の受信部へ接続する第２のアンテナ接続部とを有する構成としている。
【００２９】
この構成により、複数のアンテナによる厳しいフェージング環境下においても、最も受信レベルの高いアンテナを選択することができる。
【００３０】
また、本発明の第１のダイバーシチ受信装置は、複数の無線通信方式の通信信号を受信する複数のアンテナと、前記複数のアンテナのうち、いずれか１つと接続する第１の受信部と、前記第１の受信部と接続されなかった前記複数のアンテナのうち、いずれか１つと接続する第２の受信部と、前記第１の受信部から出力される通信信号の第１の受信レベルおよび前記第２の受信部から出力される通信信号の第２の受信レベルを比較し、比較結果を示すレベル比較信号を出力するレベル比較部と、前記複数の無線通信方式の通信信号のうち、あらかじめ設定されたいずれか１つの通信信号を受信する受信モードを選択する受信モード制御信号および前記レベル比較信号に基づいて、前記複数のアンテナから前記第１の受信部および前記第２の受信部に接続するアンテナを１つずつ選択する切替選択信号を出力する切替制御部と、前記切替選択信号に基づいて、前記複数のアンテナのうちの２つを前記第１の受信部または前記第２の受信部へ接続する切替選択部とを有する構成としている。
【００３１】
この構成により、複数の無線通信方式の信号を受信し、構成が比較的簡単で、消費電力がより小さく、確実に受信レベルの高いアンテナを選択することができる。
【００３２】
また、本発明の第１のダイバーシチ受信システムは、複数の無線通信方式の通信信号を受信する複数のアンテナと、前記複数のアンテナのうち、いずれか１つと接続する第１の受信部と、前記第１の受信部と接続されなかった前記複数のアンテナのうち、いずれか１つと接続する第２の受信部と、前記第１の受信部から出力される通信信号の第１の受信レベルおよび前記第２の受信部から出力される通信信号の第２の受信レベルを比較し、比較結果を示すレベル比較信号を出力するレベル比較部と、前記複数の無線通信方式の通信信号のうち、あらかじめ設定されたいずれか１つの通信信号を受信する受信モードを選択する受信モード制御信号および前記レベル比較信号に基づいて、前記複数のアンテナから前記第１の受信部および前記第２の受信部に接続するアンテナを１つずつ選択する切替選択信号を出力する切替制御部と、前記切替選択信号に基づいて、前記複数のアンテナのうちの２つを前記第１の受信部または前記第２の受信部へ接続する切替選択部とを有する構成としている。
【００３３】
この構成により、複数の無線通信方式の信号を受信し、構成が比較的簡単で、消費電力がより小さく、確実に受信レベルの高いアンテナを選択することができる。
【発明の効果】
【００３４】
本発明は、複数の無線通信方式の信号を受信し、構成が比較的簡単で、消費電力がより小さく、確実に受信レベルの高いアンテナを選択するダイバーシチ受信回路、ダイバーシチ受信装置およびダイバーシチ受信システムを提供することができる。
【００３５】
また、デジタル、およびアナログテレビ受信機をそれぞれ1系統備え、相関の低いアンテナを複数備えたダイバーシチ受信装置等において、ダイバーシチ受信を実現することができる。
【００３６】
また、デジタルテレビ受信モードの際、一方のアンテナをデジタルテレビ受信機に、他方のアンテナをアナログテレビ受信機に接続し、デジタルテレビ受信機の受信レベルとアナログテレビ受信機の受信レベルを比較して、受信電界強度の高い方のアンテナを選択するようにアンテナ切替え制御を行い、アナログテレビ受信機をレベル検出器として使用して、ダイバーシチ受信を行うことが可能である。また、アナログテレビ受信モードの際も、同様にしてアンテナ切替制御を行い、ダイバーシチ受信を行うことが可能である。
【００３７】
また、上記ダイバーシチ切替制御の際、デジタルテレビ受信機はＯＦＤＭ信号中のガードインターバルを使用し、アナログテレビ受信機は映像信号中の映像情報の伝送されない区間である垂直帰線期間を利用して切替えを行い、切替時のシンボル誤りを抑えることができる。
【００３８】
また、上記レベル検出の時間を制限し、レベル検出している時間以外の期間はレベル検出用受信系の電源をＯＦＦすることで、低消費電力化を実現できる。
【００３９】
更に、上記構成は、現存するアナログテレビ放送用受信モジュール、及びデジタル放送用受信モジュールを用いて、受信電界レベル検出器及び比較器を追加するだけで、比較的容易にダイバーシチ受信回路等を実現することが出来る。
【発明を実施するための最良の形態】
【００４０】
以下に、本発明の実施形態について、図面を参照しながら説明する。
（第１の実施形態）
【００４１】
図1は、本発明の第１の実施形態におけるダイバーシチ受信回路１００のブロック図である。ダイバーシチ受信回路１００は、第１のアンテナ１０１Ａ、第２のアンテナ１０１Ｂ、切替選択手段１０２、入力端子１０３Ａ、１０３Ｂ、出力端子１０４Ａ、１０４Ｂ、第１の受信手段１０５Ａ、第２の受信手段１０６Ａ、第１の受信レベル検出手段１０７、第２の受信レベル検出手段１０８、レベル比較手段１０９、切替制御手段１１０、受信モード設定手段１１１、第１の復調出力端子１１２、第２の復調出力端子１１３を有する。
【００４２】
第１のアンテナ１０１Ａ、第２のアンテナ１０１Ｂは複数のアンテナの一例である。また、切替選択手段１０２は切替選択部の一例である。また、第１の受信手段１０５Ａは第１の受信部の一例である。また、第２の受信手段１０６Ａは第２の受信部の一例である。また、レベル比較手段１０９はレベル比較部の一例である。また、切替制御手段１１０は切替制御部の一例である。
【００４３】
このような構成の本実施形態におけるダイバーシチ受信回路１００は次のように動作する。説明のため、本実施形態では第１の無線通信方式をＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）デジタルテレビ放送、第２の無線通信方式をＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）アナログテレビ放送として、図1における第１の受信手段１０５Ａはデジタルテレビ放送の受信手段として、第２の受信手段１０６Ａはアナログテレビ放送の受信手段として説明を行う。
【００４４】
第１のアンテナ１０１Ａ、第２のアンテナ１０１Ｂが受信した受信信号はそれぞれ切替選択手段１０２の入力端子１０３Ａ、及び入力端子１０３Ｂに入力される。切替選択手段１０２は、切替制御手段１１０から出力されアンテナを切り替えるための切替選択制御信号に従い、それぞれ受信信号を出力端子１０４Ａ、１０４Ｂのいずれかに出力されるよう切り替えを行う。
【００４５】
切替選択手段１０２の出力端子１０４Ａによって出力された受信信号は第１の受信手段１０５Ａに入力され、切替選択手段１０２の出力端子１０４Ｂによって出力された受信信号は第２の受信手段１０６Ａに入力される。
【００４６】
ここで、切替選択手段１０２による切替状態を図２Ａ、図２Ｂを用いて説明する。
図２Ａは本発明の第１の実施形態における切替選択手段１０２の第１の切替状態を表した図である。図２Ａでは、切替選択手段１０２が第１のアンテナ１０１Ａにて受信した第１の受信信号を入力端子１０３Ａから入力し、出力端子１０４Ａに出力する場合を示している。このとき一方で、切替選択手段１０２は第２のアンテナ１０１Ｂにて受信した第２の受信信号を入力端子１０３Ｂから入力し、出力端子１０４Ｂに出力する。
【００４７】
図２Ｂは本発明の第１の実施形態における切替選択手段１０２の第２の切替状態を表した図である。図２Ｂでは、切替選択手段１０２が第１のアンテナ１０１Ａにて受信した第１の受信信号を入力端子１０３Ａから入力し、出力端子１０４Ｂに出力する場合を示している。このとき一方で、切替選択手段１０２は第２のアンテナ１０１Ｂにて受信した第２の受信信号を入力端子１０３Ｂから入力し、出力端子１０４Ａに出力する。切替制御手段１１０は、図２における第１の切替状態もしくは第２の切替状態にすることで、第１のアンテナ１０１Ａ、第２のアンテナ１０１Ｂを第１の受信手段１０５Ａ、第２の受信手段１０６Ａのいずれかへ接続する。また、切替選択手段に関しては、例えばＣＱ出版社発行「トランジスタ技術」２００４年１２月号Ｐ１２４などに記されている。
【００４８】
ダイバーシチ受信回路１００の動作としては、アナログテレビ放送を受信するアナログ放送信号受信モード、及びデジタルテレビ放送を受信するデジタル放送信号受信モードが存在し、それらのモードおよび受信チャンネルを受信モード設定手段１１１によって設定する。その際、アナログ放送信号受信モード設定時には、受信モード設定手段１１１は、第１の受信手段１０５Ａを第２の受信手段１０６Ａと同一チャンネルとなるように設定する。また、デジタル放送信号受信モード設定時には、受信モード設定手段１１１は、第２の受信手段１０６Ａは第１の受信手段１０５Ａと同一チャンネルとなるように設定を行う。また、受信モード制御手段１１１は、アナログ放送信号受信モードもしくはデジタル放送信号受信モードを設定するための信号である受信モード設定信号を切替制御手段１１０へ出力する。
【００４９】
第１の受信手段１０５Ａは、出力端子１０４Ａから得られた受信信号に対して増幅、周波数変換、帯域制限およびデジタル復調を行い、第１の復調出力端子１１２から復調信号として出力する。一方、第２の受信手段１０６Ａは、出力端子１０４Ｂから得られた受信信号に対して増幅、周波数変換、帯域制限、及びアナログ復調を行い、第２の復調出力端子１１３から復調信号として出力する。
【００５０】
第１のアンテナ１０１Ａ、及び第２のアンテナ１０１Ｂから得られた受信信号の受信レベルを検出するために、第１の受信手段１０５Ａに第１の受信レベル検出手段１０７が接続され、第２の受信手段１０６Ａに第２の受信レベル検出手段１０８が接続される。
【００５１】
ここで、図３は本発明の第１の実施形態における第１の受信手段１０５Ａの概要図である。
切替選択手段１０２の出力端子１０４Ａから入力されたテレビ放送信号はバンドパスフィルタ３０１によって帯域外妨害波除去が行われ、ＲＦ（Ｒａｄｉｏ  Ｆｒｅｑｕｅｎｃｙ）アンプ３０２により増幅される。ミキサ３０３はＲＦアンプ３０２により増幅された受信信号とＬｏｃａｌ発振器３０４により発振された正弦波信号とを混合し、ある中間周波数信号に周波数変換を行う。中間周波数信号はバンドパスフィルタ３０５によりチャンネル帯域幅に帯域制限され、ＡＧＣ（Ａｕｔｏ  Ｇａｉｎ  Ｃｏｎｔｒｏｌ）３０６、および第１の受信レベル検出手段１０７へ送られる。
【００５２】
第１の受信レベル検出手段１０７は、入力された交流信号から電界強度信号として第１の受信レベル信号を出力するブロックであり、チャンネル帯域幅に帯域制限された受信信号の電力について測定を行う。本実施形態において、デジタル、あるいはアナログ信号の帯域は６ＭＨｚであり、この帯域内電力を測定することで、アナログ信号、デジタル信号いずれにおいても、第１の受信レベル検出手段１０７にて信号のレベル検出をすることが可能である。
【００５３】
ＡＧＣ３０６は、帯域制限された中間周波数信号がＡ／Ｄ（Ａｎａｌｏｇ  ｔｏ  Ｄｉｇｉｔａｌ）コンバーター３０７に一定電力で入力されるように、ベースバンド部３０８によってゲイン調整される増幅部である。Ａ／Ｄコンバーター３０７は、ゲイン調整された信号（アナログ中間周波数信号）をデジタル信号に変換する。ベースバンド部３０８では得られたデジタル信号の復調処理を行い、第１の復調出力端子１１２に復調信号として出力する。
【００５４】
また、図４は本発明の第１の実施形態における第２の受信手段１０６Ａの概要図である。
切替選択手段１０２の出力端子１０４Ｂから入力されたテレビ放送信号はバンドパスフィルタ４０１によって帯域外妨害波除去が行われ、ＲＦアンプ４０２により増幅される。
ミキサ４０３はＲＦアンプ４０２により増幅された受信信号とＬｏｃａｌ発振器４０４により発振された正弦波信号とを混合し、ある中間周波数信号に周波数変換を行う。中間周波数信号はバンドパスフィルタ４０５によりチャンネル帯域幅に帯域制限され、アナログ検波部４０６、及び第２の受信レベル検出手段１０８に入力される。アナログ検波部４０６は入力された中間周波数信号の復調処理を行い、第２の復調出力端子１１３へ復調信号として出力する。
【００５５】
第２の受信レベル検出手段１０８は入力された交流信号から電界強度信号として第２の受信レベル信号を出力するブロックであり、チャンネル帯域幅に帯域制限された受信信号の電力について測定を行う。バンドパスフィルタ４０５によりチャンネル帯域に制限された信号電力を測定することで、アナログ信号、デジタル信号のいずれにおいても、第２の受信レベル検出手段１０８によってレベル検出することが可能である。
【００５６】
第１の受信レベル検出手段１０７の出力である第１の受信レベル信号、及び第２の受信レベル検出手段１０８の出力である第２の受信レベル信号は、レベル比較手段１０９によりレベル比較が行われ、比較結果はレベル比較信号として切替制御手段１１０に出力される。
【００５７】
レベル比較手段１０９は、例えば、第１の受信レベル検出手段１０７に比べ第２の受信レベル検出手段１０８の出力信号レベルが大きい場合、論理信号「１」を、第２の受信レベル検出手段１０８に比べ第１の受信レベル検出手段１０７の出力信号レベルが大きい場合、論理信号「０」を出力するようなコンパレータ回路を用いることで実現可能である。
【００５８】
切替制御手段１１０は入力されるレベル比較信号および受信モード設定信号に基づき、切替選択手段１０２を制御する。制御方法は以下のとおりである。
【００５９】
受信モード設定手段１１１によって設定された受信モードがデジタル放送信号受信モードの場合、第１の受信手段１０５Ａによって受信する受信チャンネル内電力は、第１の受信レベル検出手段１０７を介してレベル比較手段１０９に入力され、第１の受信手段１０５Ａと同一チャンネルに設定された第２の受信手段１０６Ａで受信する受信チャンネル内電力は、第２の受信レベル検出手段１０８を介してレベル比較手段１０９に入力される。
【００６０】
第１の受信レベル検出手段１０７の出力レベルが、第２の受信レベル検出手段１０８の出力レベルに比べ大きい場合は、切替制御手段１１０は切替選択手段１０２の状態を維持し、逆に第１の受信レベル検出手段１０７の出力レベルが、第２の受信レベル検出手段１０８の出力レベルに比べ小さい場合は、切替制御手段１１０は切替選択手段１０２の状態を反転させるように制御を行い、常に第１の受信手段１０５Ａで受信するレベルがより電界強度の大きいアンテナを選択するように、切替選択手段１０２を制御する。
【００６１】
同様に受信モード設定手段１１１によって設定された受信モードがアナログ放送信号受信モードの場合、第２の受信手段１０６Ａで受信する受信チャンネル内電力は、第２の受信レベル検出手段１０８を介してレベル比較手段１０９に入力され、第２の受信手段１０６Ａと同一チャンネルに設定された第１の受信手段１０５Ａで受信する受信チャンネル内電力は、第１の受信レベル検出手段１０７を介してレベル比較手段１０９に入力される。
【００６２】
第２の受信レベル検出手段１０８の出力レベルが第１の受信レベル検出手段１０７の出力レベルに比べて大きい場合は、切替制御手段１１０は切替選択手段１０２の状態を維
持し、逆に第２の受信レベル検出手段１０８の出力レベルが第１の受信レベル検出手段１０７の出力レベルに比べ小さい場合は、切替制御手段１１０は切替手段１０２の状態を反転させるように制御を行い、常に第２の受信手段１０５Ａで受信するレベルがより電界強度の大きいアンテナを選択するように、切替選択手段１０２を制御する。
【００６３】
ここで、切替制御手段１１０の制御方法を示す。
図５は本発明の第１の実施形態における切替制御手段１１０の制御方法を示した図である。
図５において「比較出力手段」の列の「Ｄ」は、第１の受信レベル検出手段１０７の出力レベルを表しており、「比較出力手段」の列の「Ａ」は、第２の受信レベル検出手段１０８の出力レベルを表している。
【００６４】
また、「切替制御」は、切替制御手段１０２の２つの切替状態を表しており、「切替制御」の列の「正転」は、切替制御手段１０２の現在の状態を維持することであり、「切替制御」の列の「反転」とは、切替制御手段１０２の現在の状態を反転させることをいう。
【００６５】
次に、具体的な入力信号と各制御信号の動きについて説明する。
図６は本発明の第１の実施形態におけるデジタル放送信号受信モードの場合の入力信号および制御信号を示した図である。
【００６６】
図６において、第１のアンテナ１０１Ａによる受信信号６０１（点線）は、第１のアンテナ１０１Ａから入力する信号の時間変化を表したもので、第２のアンテナ１０１Ｂによる受信信号６０２（実線）は、第２のアンテナ１０１Ｂから入力する信号の時間変化を表している。
【００６７】
また、切替制御６０３はレベル比較手段１０９によって出力されるレベル比較信号、切替制御手段１１０によって出力される切替選択制御信号の時間変化を示している。時刻「ｔ１」、及び「ｔ２」にて、第１のアンテナ１０１Ａによる受信信号６０１と第２のアンテナ１０１Ｂによる受信信号６０２との大小関係が逆転する。このタイミングで、切替制御６０３は切替制御選択信号を出力し、各受信信号は第１の受信レベル検出手段１０７の出力変化６０４（実線）、及び第２の受信レベル検出手段１０８の出力変化６０５（点線）のように、時間変化を行う。
【００６８】
上記のような動作をすることで、受信レベルが常に高い方のアンテナを選択することができ、ダイバーシチ効果を得ることができる。
【００６９】
なお、レベル比較検出手段１０９としてコンパレータを例に挙げたが、ヒステリシスコンパレータを用いることで、切替時の耐ノイズ性を高めることが可能である。また、第１の受信レベル検出手段１０７と第２の受信レベル検出手段１０８でレベル比較を行い、レベルのより高いほうのアンテナを選択するように制御を行っているが、受信レベルがある閾値以上、あるいはある閾値以下ではアンテナの切替動作を行わないよう制御を行っても良い。
【００７０】
また、切替制御手段１０２は、第１および第２のアンテナ１０１Ａ、１０１Ｂおよび第１および第２の受信手段１０５Ａ、１０６Ａの間に配置されているが、系の雑音指数を低くするため、図３におけるＲＦアンプ３０２の後段に接続しても良い。また、受信モード設定手段１１１の設定方法について言及していないが、例えば、操作者等による手動操作であっても、ＣＰＵ（Ｃｅｎｔｒａｌ  Ｐｒｏｃｅｓｓｉｎｇ  Ｕｎｉｔ）等による自動操作であっても良い。
【００７１】
また、第１のアンテナ１０１Ａと第２のアンテナ１０１Ｂとで選択の優先順位をつけて
おき、電源投入時などの任意のタイミングで初期状態として優先順位の高いアンテナを優先的に選択することも可能である。
【００７２】
また、第１のアンテナ１０１Ａ、第２のアンテナ１０１Ｂのアンテナ選択率から、一方の選択率が非常に高い場合、一定時間だけ他方のアンテナの受信レベル検出を停止することで、消費電力を抑えることも可能である。
【００７３】
なお、本実施形態では受信帯域幅を６ＭＨｚとして説明を行ったが、必ずしも６ＭＨｚ帯域である必要はなく、第１の受信手段１０５Ａ、第２の受信手段１０６Ａにおいて、電界レベル比較が可能な帯域幅であれば、その帯域幅を制限するものではない。
【００７４】
また、本実施形態においては第１の無線通信方式にＩＳＤＢ−Ｔデジタルテレビ放送、第２の無線通信方式にＮＴＳＣアナログテレビ放送を使用して説明したが、同一バンドの異なる受信モードの受信回路であれば、第１の受信レベル検出手段１０７、及び第２の受信レベル検出手段１０８において測定する帯域電力を等しくすることで同一の効果を得ることができる。
【００７５】
このような本発明の第１の実施形態におけるダイバーシチ受信回路１００によれば、複数の無線通信方式の複数の通信信号を受信する複数のアンテナと、複数のアンテナのうち、いずれか１つと接続する第１の受信手段１０５Ａと、複数のアンテナの中で第１の受信部１０５Ａと接続されなかったアンテナのうち、いずれか１つと接続する第２の受信手段１０６Ａと、第１の受信部１０５Ａから出力される通信信号の第１の受信レベルおよび第２の受信部１０６Ａから出力される通信信号の第２の受信レベルを比較し、比較結果を示すレベル比較信号を出力するレベル比較部１０９と、複数の無線通信方式の通信信号のうち、あらかじめ設定されたいずれか１つの通信信号を受信する受信モードを選択する受信モード制御信号およびレベル比較信号に基づいて、複数のアンテナから第１の受信手段１０５Ａおよび第２の受信手段１０６Ａに接続するアンテナを１つずつ選択する切替選択信号を出力する切替制御手段１１０と、切替選択信号に基づいて、複数のアンテナのうちの２つを第１の受信手段１０５Ａまたは第２の受信手段１０６Ａへ接続する切替選択手段１０２とを有する構成とすることで、複数の無線通信方式の信号を受信し、構成が比較的簡単で、消費電力がより小さく、確実に受信レベルの高いアンテナを選択することができる。
【００７６】
（第２の実施形態）
次に、本発明の第２の実施形態について説明する。
図７は本発明の第２の実施形態におけるダイバーシチ受信回路７００のブロック図である。図７において、本発明の第１の実施形態におけるダイバーシチ受信回路１００で付した符号と同一のものは、同一名称、同一機能であり、説明を省略する。
【００７７】
ダイバーシチ受信回路７００は、本発明の第１の実施形態におけるダイバーシチ受信回路１００に加えて映像復調出力端子１１４、音声復調出力端子１１５を有し、ダイバーシチ受信回路７００の第１の受信手段１０５Ａ、第２の受信手段１０６Ａに代わって、第１の受信手段１０５Ｂ、第２の受信手段１０６Ｂを有する。第１の受信手段１０５Ｂは、第１のチューナー部１１６およびＯＦＤＭ復調部１１７を有する。ＯＦＤＭ復調部１１７は、ＡＤ変換部１１８、ＦＦＴ（Ｆａｓｔ  Ｆｏｕｒｉｅｒ  Ｔｒａｎｓｆｏｒｍ）復号部１１９、復調／復号部１２０、およびＦＦＴ窓設定部１２１を有する。第２の受信手段１０６Ｂは、第２のチューナー部１２２、帯域制限部１２３および復調部１２４を有する。復調部１２４は、映像受信部１２５、タイミング生成部１２６および音声受信部１２７を有する。さらに、切替制御手段１１０は、受信タイミング切替手段１２８および切替制御部１２９を有する。
【００７８】
また、第１の受信手段１０５Ｂは第１の受信部の一例である。また、第２の受信手段１０６Ｂは第２の受信部の一例である。また、ＦＦＴ窓設定部１２１はデジタルタイミング生成部の一例である。また、タイミング生成部１２６はアナログタイミング生成部の一例である。
【００７９】
ダイバーシチ受信回路７００がダイバーシチ受信回路１００と異なる点は、切替制御手段１１０による切替制御のタイミングが第１の実施形態で示したような任意のタイミングではなく、第１の受信手段１０５Ｂ、または第２の受信手段１０６Ｂによって得られるタイミングに応じて切替制御を行う点などである。
【００８０】
以下、ダイバーシチ受信回路７００の動作について説明を行う。まず、デジタル放送受信時の動作について説明する。
第１の受信手段１０５Ｂにおいて、第１のチューナー部１１６は、切替制御手段１０２の出力端子１０４Ａにより出力された伝送信号を入力信号として増幅、周波数変換、帯域制限、および直交復調し、中間周波数信号としてＯＦＤＭ復調部１１７へ出力する。ＯＦＤＭ復調部１１７では、ＡＤ変換部１１８は、第１のチューナー部１１６より得られた中間周波数信号をデジタル信号に変換し、ＯＦＤＭ信号としてＦＦＴ復号部１１９、ＦＦＴ窓設定部へ出力する。ＦＦＴ窓設定部１２１は、ＡＤ変換部１１８によって変換されたＯＦＤＭ信号に基づいて、ＦＦＴ窓を設定する。
【００８１】
ＦＦＴ復号部１１９は、ＡＤ変換部１１８より出力されたＯＦＤＭ信号から、ＦＦＴ窓設定部１２１によって設定されたＦＦＴ窓期間内に含まれる信号を抽出してＦＦＴ処理を行い、周波数軸上の信号に変換する。ここで、ＦＦＴ窓期間の設定については、特開２０００−０２２６５７号公報、特開２００１−３０８７６２号公報などに開示されている。復調／復号部１２０は、ＦＦＴ復号部１１９から出力される信号を復調、さらに復号することでデータを再生し、第１の復調出力端子１１２から出力する。
【００８２】
一方、第２の受信手段１０６Ｂにおいて、第２のチューナー部１２２は、切替制御手段１０２の出力端子１０４Ｂにより入力された伝送信号を入力信号として増幅、周波数変換を行い、中間周波数信号として帯域制限部１２３に入力する。帯域制限部１２３は、入力された中間周波数信号を受信チャンネル帯域に帯域制限し、復調部１２４に入力する。デジタル放送信号受信時においては、復調部１２４に入力された信号は映像信号を受信する映像受信部１２５および映像受信部１２５を介して音声信号を受信する音声受信部１２７に入力される。映像受信部１２５に入力された映像信号は、映像復調出力端子１１４に出力される。音声受信部１２７に入力された音声信号は、音声復調出力端子１１５に出力される。
【００８３】
次に、レベル比較に関して説明する。第１の受信レベル検出手段１０７は第１のチューナー部１１６の中間周波数信号にて受信帯域内６ＭＨｚの電力を検出する。第２の受信レベル検出手段１０８は帯域制限部１２３により出力される中間周波数信号にて受信帯域内６ＭＨｚの電力を検出する。レベル比較手段１０９は、第１および第２の受信レベル検出手段１０７および１０８によって検出された電力のレベル比較を行う。
【００８４】
次に、切替制御手段１１０の動作に関して説明する。切替制御手段１１０の動作は、切替選択手段１０２の切替タイミングとしてデジタル放送波からタイミングを得る場合とアナログ放送波からタイミングを得る場合とで、制御方法が異なる。
【００８５】
デジタル放送波からタイミングを得る場合には、受信モード設定手段１１１が出力する受信モード設定信号により、受信タイミング切替手段１２８はＦＦＴ窓設定部１２１から出力されるデジタルタイミングを選択する。デジタルタイミングとは、およそシンボル長周期で出力されるガードインターバル期間の信号である。このデジタルタイミングおよびレベル比較手段１０９のレベル比較信号は、受信タイミング切替手段１２８から切替制御部１２９へ送られる。デジタルタイミングにてレベル比較した結果は切替制御部１２９から切替選択手段１０２へ送られる。切替選択手段１０２は、より信号レベルの高いアンテナを選択し、受信品質を向上させる。尚、切替制御部１２９は、たとえばDフリップフロップによって容易に実現が可能である。
【００８６】
次にアナログ放送受信時の動作について説明を行う。
第２の受信手段１０６Ｂにおいて、第２のチューナー部１２２は、切替選択手段１０２の出力端子１０４Ｂにより出力された伝送信号を入力信号として増幅、周波数変換し、中間周波数信号として帯域制限部１２３へ出力する。帯域制限部１２３は、不要妨害波除去のために入力された中間周波数信号を６ＭＨｚ帯域に帯域制限し、復調部１２４に入力する。
【００８７】
映像受信部１２５は、帯域制限された中間周波数信号から映像信号を取り出し、映像信号を映像復調出力端子１１４へ出力する。音声受信部１２７は、帯域制限された中間周波数信号から音声信号を取り出し、音声信号を音声復調出力端子１１５へ出力する。また、タイミング生成部１２６は、映像受信部１２５より垂直帰線期間を検出し、垂直帰線期間を表す信号を出力する。ここで、垂直帰線期間に関しては、例えば特開平０６−０８５７２０号公報に示されている。
【００８８】
一方、第１の受信手段１０５Ｂにて受信されたアナログ放送信号に関して、第１のチューナー部１１６は、切替選択手段１０２の出力端子１０４Ａにより出力された伝送信号を入力信号として増幅、周波数変換、及び６ＭＨｚ帯に帯域制限し、中間周波数信号として、ＯＦＤＭ復調部１１７、及び第１の受信レベル検出手段１０７に出力する。
【００８９】
第２の受信手段１０６Ｂおよび第１の受信手段１０５Ｂにそれぞれ入力されたアナログ放送信号のレベル比較に際して、第１および第２の受信レベル検出手段１０７および１０８は、第１および第２のチューナー部１１６および１２２、あるいは帯域制限部１２３にて受信帯域内６ＭＨｚの電力を検出し、レベル比較手段１０９にて電力のレベル比較を行う。切替制御手段１１０は、切替選択手段１０２の切替タイミングとしてアナログテレビ放送信号の映像信号から得られた垂直帰線期間タイミング（アナログタイミング）にてレベル比較した結果を切替選択手段１０２へ送る。切替選択手段１０２は、より信号レベルの高いアンテナを選択し、受信品質を向上させる。
【００９０】
なお、例えば島村徹也監修、他５名執筆、トリケップス出版、平成１２年７月発行の「ディジタル通信システムのためのMATLABプログラム事例解説」に記されているように、デジタル放送受信時において、ガードインターバル期間は各シンボルの前の部分と強い相関を持っており、シンボル同期、搬送波周波数同期などにおいても積極的に利用されているため、毎ガードインターバルごとに切替動作を行うと同期が外れる可能性があるが、例えばデジタル放送受信モードの時、切替タイミングを必ずしも毎ガードインターバル期間にする必要はなく、受信レベルの変動状態から、切替頻度を少なくし、制御を簡単にしても良い。
【００９１】
なお、本実施形態においては受信帯域幅を６ＭＨｚとして説明を行ったが、必ずしも６ＭＨｚ帯域である必要はなく、第１の受信手段１０５Ｂ、第２の受信手段１０６Ｂにおいて、電界レベル比較が可能な帯域幅であれば、その帯域幅を制限するものではない。
【００９２】
このような本発明の第２の実施形態におけるダイバーシチ受信回路７００によれば（前記二本のアンテナを備えた受信装置において、各受信モード時における、通常使用しないテレビ放送受信手段をレベル検出手段として利用することで）、確実に受信レベルの高い受信アンテナを選択でき、比較的簡単な構成でダイバーシチ受信回路７００が実現できる。
【００９３】
さらに、切替タイミングを受信信号から生成し、切替時の誤りをなくすことができる。また、非受信アンテナの電界レベルが受信アンテナの電界レベルよりも大きくなった場合のみ切替動作を行うため、確実にレベルの高いアンテナを選択することができる。また、２系統同時にレベル測定を行うため、不要な切替動作を行う必要は無い。
【００９４】
このような本発明の第２の実施形態におけるダイバーシチ受信回路７００によれば、デジタルテレビ方式の放送信号がＯＦＤＭ信号を有し、切替制御手段１１０が、ＯＦＤＭ信号に含まれるガードインターバル信号に基づいて、切替選択信号を出力するデジタルタイミングを生成するデジタルタイミング生成部を有する構成とする、または切替制御手段１１０が、アナログテレビ方式の放送信号に含まれる垂直帰線期間に基づいて、切替選択信号を出力するアナログタイミングを生成するアナログタイミング生成部を有する構成とすることで、デジタルテレビ受信時にはシンボル同期がはずれにくい状態とすることができ、またアナログテレビ受信装置時には切替時の不要な画質劣化を発生しにくくすることができる。
（第３の実施形態）
【００９５】
次に、本発明の第３の実施形態について説明する。
図８は本発明の第３の実施形態におけるダイバーシチ受信回路８００のブロック図である。図８において、第２の実施形態におけるダイバーシチ受信回路７００で付した符号と同一のものは、同一名称、同一機能であり、説明を省略する。
【００９６】
ダイバーシチ受信回路８００は、ダイバーシチ受信回路７００に加え、電源制御手段１３０を有する。電源制御手段１３０は、電源制御タイミング生成部１３１および電源制御部１３２を有する。ダイバーシチ受信回路８００がダイバーシチ受信回路７００と異なる点は、電源制御手段１３０を用いることで、切替制御前後以外の時間において、一方の受信装置の電源を停止させる点などである。
【００９７】
以下、ダイバーシチ受信回路８００の動作について説明を行う。
電源制御タイミング生成部１３１は、本発明の第２の実施形態において説明したアナログタイミングあるいはデジタルタイミングを入力信号として電源制御のためのタイミングを生成し、電源制御部１３２へ出力する。電源制御部１３２は、受信モード設定手段１１１によって設定されたモードに応じて、例えばデジタル放送信号受信モードであれば第２の受信手段１０６Ｂの電源を停止させ、アナログ放送信号受信モードであれば第１の受信手段１０５Ｂの電源を停止する。
【００９８】
次に、電源を停止状態とする非受信モードにある受信手段の停止タイミングについて説明する。
図９は本発明の第３の実施形態におけるダイバーシチ受信回路８００の非受信モードにある受信手段の停止タイミングを示した図である。
【００９９】
まず、デジタル放送信号受信モード時の各制御タイミングについて説明する。
デジタルタイミング９０１はＦＦＴ窓設定部１２１の出力信号として得られ、およそシ
ンボル長周期でガードインターバル期間の信号を出力する。切替制御信号９０２はデジタルタイミング９０１に応じて、現在受信しているアンテナの受信信号強度が他方のアンテナによる受信信号強度を上回った際に出力される信号であり、ここでは毎デジタルタイミング毎に切替制御している場合を示した。電源制御信号９０３は電源制御部１３３の出力信号である。
【０１００】
切替制御信号９０２の立ち下がりからデジタルタイミング９０１の立ち下がりまでの
時間をｔａ、デジタルタイミング９０１の立ち下がりから電源制御信号９０３の立ち上
がりまでの時間をｔｂ、電源制御信号９０３の立ち上がりから切替制御信号９０２の立ち上がりまでの時間をｔｄとすると、ｔｃは第２の受信手段１０６Ｂの動作時間を表しており、ｔａとｔｂの和（ｔａ＋ｔｂ）は第２の受信手段１０６Ｂの停止時間を表している。
【０１０１】
デジタル受信モード時における第２の受信手段１０６Ｂの状態遷移の様子を９０４に示してあり、第２の受信手段１０６Ｂの起動にかかる時間、つまり受信停止状態９０６から受信可能状態９０７への状態遷移に要する時間をｔｅとすると、ｔｄはｔｄ＞ｔｅとなるように選ぶ必要がある。
【０１０２】
ここまではデジタル放送受信時の動作を説明してきたが、アナログ放送受信時の動作についても同様である。デジタルタイミングの代わりにアナログタイミング９０１を使用し、垂直帰線期間がデジタル放送のガードインターバル期間に相当し、切替制御信号９０２となる。
【０１０３】
また、アナログ放送信号受信モード時における第１の受信手段１０５Ｂの状態遷移の様子を９０５に示しており、ｔｆを第１の受信手段１０５Ｂの起動にかかる時間、つまり受信停止状態９０８から受信可能状態９０９への状態遷移に要する時間とすると、ｔｄ＞ｔｆとなるように、ｔｄを選択する。
【０１０４】
なお、例えば本実施形態のデジタル放送受信モード時においては、毎ガードインターバル期間にて電源起動制御を行っているが、必ずしも毎ガードインターバル期間に電源起動を行う必要はなく、受信状態に応じて、電源制御信号の周期を可変させてよい。
【０１０５】
また、携帯端末などにおいて使用する場合、電池残量に応じて、切替制御の頻度を変化させることで、電池寿命を延ばすことも可能である。また、受信レベルが十分大きい場合は、非受信状態にある受信手段の電源を停止させてもよい。また、電源起動制御を行うとあるが、必ずしも一方の受信手段すべての電源を制御する必要はなく、消費電力を削減する効果があれば、一部の電源のみ起動したままであっても、あるいは電流制御であっても良い。
【０１０６】
このような本発明の第３の実施形態におけるダイバーシチ受信回路８００によれば、デジタルタイミングまたはアナログタイミングに基づいて、電源を制御する電源制御タイミングを生成する電源制御タイミング生成部１３１と、電源制御タイミングに基づいて、受信モードとしてデジタルテレビ方式が選択された場合には第２の受信手段１０６Ｂへの給電を、受信モードとしてアナログテレビ方式が選択された場合には第１の受信手段１０５Ｂへの給電を制御する電源制御部１３２とを有する構成とすることで、より消費電力を低減することができる。
（第４の実施形態）
【０１０７】
次に、本発明の第４の実施形態について説明する。
図１０は本発明の第４の実施形態におけるダイバーシチ受信回路１０００のブロック図である。図１０において、本発明の第１の実施形態におけるダイバーシチ受信回路１００に付した符号と同一のものは、同一名称、同一機能であり、説明を省略する。
【０１０８】
ダイバーシチ受信回路１０００は、ダイバーシチ受信回路１００の切替選択手段１０２に代わって第２の切替選択手段１３３を有し、さらに、第３のアンテナ１０１Ｃ、第４のアンテナ１０１Ｄ、第３の入力端子１０３Ｃおよび第４の入力端子１０３Ｄを有する。
【０１０９】
第２の切替選択手段１３３は切替選択部の一例である。また、第３のアンテナ１０１Ｃ、第４のアンテナ１０１Ｄは複数のアンテナの一例である。
【０１１０】
ダイバーシチ受信回路１０００がダイバーシチ受信回路１００と異なる点は、ダイバーシチ受信回路１００のアンテナの本数が2本で実現されているダイバーシチ受信であったのに対して、ダイバーシチ受信回路１０００のアンテナは３本以上（本実施形態においては４本）使用され、切替手段を多数のアンテナに対応したものを用いることで、多数のアンテナに対応したダイバーシチ受信回路１０００を提供している点などである。
【０１１１】
以下、ダイバーシチ受信回路１０００の動作について説明する。
図１１は本発明の第４の実施形態における各アンテナの受信信号レベルの変化を示した図である。
【０１１２】
図１１において、１１０１、１１０２、１１０３、１１０４はそれぞれ第１のアンテナ１０１Ａ、第２のアンテナ１０１Ｂ、第３のアンテナ１０１C、第４のアンテナ１０１Ｄにおける受信レベルの時間変化を表しており、ここでは説明の便宜上第１のアンテナ１０１Ａの受信レベル変化１１０１以外については時間に対して一定値を取るものとして説明を行う。尚、第２〜第４のアンテナ１０１Ｂ〜１０１Ｄにおいて、受信レベルは大きい順に、第２のアンテナ１０１Ｂ、第３のアンテナ１０１Ｃ、第４のアンテナ１０１Ｄとしている。
【０１１３】
デジタル放送信号受信モード時において、第１の受信手段１０５Ａが最も高い受信レベルとなるように、切替制御手段１１０は第２の切替選択手段１３３を制御する。一方、第２の受信手段１０６Ａは、第１の受信手段１０５Ａにて選択されていないアンテナを順番に選択して切替を行い、そのアンテナの受信レベルをモニタする。
【０１１４】
図１２は本発明の第４の実施形態における第１の受信レベル検出手段１０７および第２の受信レベル検出手段１０８の出力の時間変化を示した図である。第１の受信レベル１２０１（太点線）は、第１の受信レベル検出手段１０７によって検出される受信レベルを示している。第２の受信レベル１２０２（太線）は、第２の受信レベル検出手段１０８によって検出される受信レベルを示している。切替タイミング１２０３は、切替制御手段１１０によって生成され、アンテナの切り替えを行うためのタイミングを示す信号である。各アンテナのレベル測定期間１２０４は、各アンテナの受信レベルを測定するための期間であり、例えば切替タイミング１２０３の１周期分に相当する。アンテナ切替周期１２０５は、第２の受信手段１０６Ａによって順番に選択されるアンテナが一巡する間の周期である。
【０１１５】
第１の受信手段１０５Ａで選択されているアンテナ（ここでは第１のアンテナ１０１Ａ）以外のアンテナ（ここでは第２のアンテナ１０１Ｂ、第３のアンテナ１０１Ｃ、第４のアンテナ１０１Ｄ）の受信レベルを測定するために、第２の切替制御手段１３３は、切替制御タイミング１２０３のクロック立ち上がり毎に順番に切り替える。具体的には本実施形態では１０１Ｃ→１０１Ｂ→１０１Ｄと切替制御を行い、以後これを繰り返し、現在第１の受信手段１０５Ａが選択している第１のアンテナ１０１Ａの受信レベル以上の受信レベルとなるアンテナが見つかれば、次のクロックタイミングにて第１のアンテナ１０１Ａとそのアンテナとを入れ替えることで、常にレベルの高いアンテナを選択することができる。
【０１１６】
本実施形態では、９クロック目において、第１の受信手段１０５Ａは、第１のアンテナ１０１Ａから第２のアンテナ１０１Ｂに切り替えている。なお、第１の受信手段１０５Ａで選択されているアンテナ以外のアンテナが順次切り替えられるアンテナ切替周期１２０５は、図１３に示すように、切替制御タイミング１２０３のように連続して切り替え続ける必要はなく、本発明の第２の実施形態におけるデジタルタイミング毎に実施してもよい。
【０１１７】
図１３は本発明の第４の実施形態におけるアンテナ切替周期を示した図である。
第２のアンテナ切替周期１３０１は第１のデジタルタイミング１３０４から第２のデジタルタイミング１３０５までの期間である。デジタルタイミング１３０４および１３０５には、切替タイミング１３０２が出力される。切替タイミング１３０２は、図１２における各アンテナのレベル測定期間１２０４を有して構成されている。
【０１１８】
デジタルタイミング１３０４および１３０５の間には、ＦＦＴ窓期間１３０６ｂ内におけるＦＦＴ復号信号１３０３のデータ１３０３ｂが送信される。同様に、デジタルタイミング１３０４の直前にはＦＦＴ窓期間１３０６ａ内におけるＦＦＴ復号信号１３０３のデータ１３０３ａが、デジタルタイミング１３０５の直後にはＦＦＴ窓期間１３０６ｃ内におけるＦＦＴ復号信号１３０３のデータ１３０３ｃが送信される。
【０１１９】
尚、第２のアンテナ切替周期１３０１のうち、第１のデジタルタイミング以外の期間は省電力の為、第２の受信手段１０６Ａの電源を停止させて、低消費電力化を行っても良い。
【０１２０】
また、デジタルテレビ放送受信時の説明を行ってきたが、アナログテレビ放送受信時においても同様に実施することができる。また、ここでは一定周期のタイミングを使用したが、アンテナの特性、受信品質に応じて周期を可変させて制御を行っても良い。なお、本実施形態ではアンテナの本数を4本として説明を行ったが、4本以上においても同様の効果が得られる。
【０１２１】
このような本発明の第４の実施形態におけるダイバーシチ受信回路１０００によれば、切替選択手段１１０が、受信モードに基づいて、複数のアンテナのうちの１つを第１の受信手段１０５Ａまたは第２の受信手段１０６Ａへ接続する第１のアンテナ接続部と、複数のアンテナにおいて受信手段１０５Ａまたは１０６Ａへ接続されなかった残りのアンテナから、残りのアンテナを１つずつ選択し、順次切り替えてもう一方の受信手段へ接続する第２のアンテナ接続部とを有する構成とすることで、複数のアンテナによる厳しいフェージング環境下においても、最も受信レベルの高いアンテナを選択することができる。
【産業上の利用可能性】
【０１２２】
本発明は、複数の無線通信方式の信号を受信し、構成が比較的簡単で、消費電力がより小さく、確実に受信レベルの高いアンテナを選択するダイバーシチ受信回路、ダイバーシチ受信装置、ダイバーシチ受信システム等に有用である。
【図面の簡単な説明】
【０１２３】
【図１】本発明の第１の実施形態におけるダイバーシチ受信回路のブロック図
【図２Ａ】本発明の第１の実施形態における切替選択手段の第１の切替状態を表した図
【図２Ｂ】本発明の第１の実施形態における切替選択手段の第２の切替状態を表した図
【図３】本発明の第１の実施形態における第１の受信手段の概要図
【図４】本発明の第１の実施形態における第２の受信手段の概要図
【図５】本発明の第１の実施形態における切替制御手段の制御方法を示した図
【図６】本発明の第１の実施形態におけるデジタル放送信号受信モードの場合の入力信号および制御信号を示した図
【図７】本発明の第２の実施形態におけるダイバーシチ受信回路のブロック図
【図８】本発明の第３の実施形態におけるダイバーシチ受信回路のブロック図
【図９】本発明の第３の実施形態におけるダイバーシチ受信回路の非受信モードにある受信手段の停止タイミングを示した図
【図１０】本発明の第４の実施形態におけるダイバーシチ受信回路のブロック図
【図１１】本発明の第４の実施形態における各アンテナの受信信号レベルの変化を示した図
【図１２】本発明の第４の実施形態における第１および第２の受信レベル検出手段の出力の時間変化を示した図
【図１３】本発明の第４の実施形態におけるアンテナ切替周期を示した図
【図１４】従来のＯＦＤＭの伝送シンボルを示した図
【符号の説明】
【０１２４】
１０１Ａ  第１のアンテナ
１０１Ｂ  第２のアンテナ
１０１Ｃ  第３のアンテナ
１０１Ｄ  第４のアンテナ
１０２    切替選択手段
１０３Ａ、１０３Ｂ  入力端子
１０４Ａ、１０４Ｂ  出力端子
１０５Ａ、１０５Ｂ  第１の受信手段
１０６Ａ、１０６Ｂ  第２の受信手段
１０７  第１の受信レベル検出手段
１０８  第２の受信レベル検出手段
１０９  レベル比較手段
１１０  切替制御手段
１１１  受信モード設定手段
１１２  第１の復調出力端子
１１３  第２の復調出力端子
１１４  映像復調出力端子
１１５  音声復調出力端子
１１６  第１のチューナー部
１１７  ＯＦＤＭ復調部
１１８  ＡＤ変換部
１１９  ＦＦＴ復号部
１２０  復調／復号部
１２１  ＦＦＴ窓設定部
１２２  第２のチューナー部
１２３  帯域制限部
１２４  復調部
１２５  映像受信部
１２６  タイミング生成部
１２７  音声受信部
１２８  受信タイミング切替手段
１２９  切替制御部
１３０  電源制御手段
１３１  電源制御タイミング生成部
１３２  電源制御部
１３３  第２の切替選択手段
３０１  バンドパスフィルタ
３０２  ＲＦアンプ
３０３  ミキサ
３０４  Ｌｏｃａｌ発振器
３０５  バンドパスフィルタ
３０６  ＡＧＣ
３０７  Ａ／Ｄコンバーター
３０８  ベースバンド部
４０１  バンドパスフィルタ
４０２  ＲＦアンプ
４０３  ミキサ
４０４  Ｌｏｃａｌ発振器
４０５  バンドパスフィルタ
４０６  アナログ検波部
【図１】
2007104095.tif 000003
【図２Ａ】
2007104095.tif 000004
【図２Ｂ】
2007104095.tif 000005
【図３】
2007104095.tif 000006
【図４】
2007104095.tif 000007
【図５】
2007104095.tif 000008
【図６】
2007104095.tif 000009
【図７】
2007104095.tif 000010
【図８】
2007104095.tif 000011
【図９】
2007104095.tif 000012
【図１０】
2007104095.tif 000013
【図１１】
2007104095.tif 000014
【図１２】
2007104095.tif 000015
【図１３】
2007104095.tif 000016
【図１４】
2007104095.tif 000017